(57)【要約】      （修正有）【課題】庫内に収納物を収納し運搬する前の準備作業時間を短縮することにより、運用コストを大幅に削減することができる定温収納庫を提供する。【解決手段】扉２を閉塞した状態で庫内１ａに収納した収納物を定温に保ちながら運搬可能とする定温収納庫１であって、庫内にオゾンを発生して庫内を除菌脱臭するオゾン発生装置１０と、蓄冷された蓄冷材１２ａの冷気により庫内を定温に保持する蓄冷装置１２と、定温収納庫の準備作業において蓄冷装置による蓄冷材への蓄冷開始と同時にオゾン発生装置によるオゾン発生を開始させる制御装置１６とを備える。【選択図】図２
2013170757.tif 000002
【特許請求の範囲】
【請求項１】
扉を閉塞した状態で庫内に収納した収納物を定温に保ちながら運搬可能とする定温収納庫であって、
前記庫内にオゾンを発生して前記庫内を除菌脱臭するオゾン発生装置と、
蓄冷された蓄冷材の冷気により前記庫内を定温に保持する蓄冷装置と、
前記定温収納庫の準備作業において前記蓄冷装置による前記蓄冷材への蓄冷開始と同時に前記オゾン発生装置によるオゾン発生を開始させる制御装置と
を備えることを特徴とする定温収納庫。
【請求項２】
前記オゾン発生装置によるオゾン発生時間は、前記蓄冷装置による前記蓄冷材の蓄冷時間よりも短いことを特徴とする請求項１に記載の定温収納庫。
【請求項３】
前記庫内の空気を攪拌するファンを更に備え、
前記制御装置は、オゾン発生中にのみ前記ファンを間歇的に作動することを特徴とする請求項２に記載の定温収納庫。
【請求項４】
前記オゾン発生時間の経過後の前記蓄冷時間は前記庫内におけるオゾンの曝露時間に設定され、
前記オゾン発生時間及び前記オゾン曝露時間は、庫内容積、前記蓄冷時間、及び前記ファンの作動条件に基づいて設定されることを特徴とする請求項３に記載の定温収納庫。
【請求項５】
前記ファンの作動条件は、庫内容積、前記蓄冷時間、及び前記オゾン発生時間に基づいて設定されることを特徴とする請求項３又は４に記載の定温収納庫。
【請求項６】
前記制御装置は、前記蓄冷時間の経過後に前記扉を開放可能とすることを特徴とする請求項１乃至５の何れかに記載の定温収納庫。
【請求項７】
外部からの充電により蓄電され、前記オゾン発生装置、前記蓄冷装置、前記制御装置、及び前記ファンに給電する電源装置を更に備え、
前記制御装置は、前記蓄冷装置による前記蓄冷材への蓄冷開始と同時に前記電源装置への充電を開始することを特徴とする請求項１乃至６の何れかに記載の定温収納庫。
【発明の詳細な説明】
【技術分野】
【０００１】
本発明は、扉を閉塞した状態で庫内に収納した収納物を定温に保ちながら運搬可能とする定温収納庫に関する。
【背景技術】
【０００２】
従来、貯蔵物を貯蔵する貯蔵室内の空気を取り込んで貯蔵室内に送出する送風機と、放電によりイオンを発生するイオン発生装置とを有した脱臭ユニットを貯蔵室の上部に備え、イオン発生装置によって発生したオゾンを送風機で拡散させて庫内の脱臭及び除菌を行い、その後にオゾン分解触媒により庫内の残存オゾンを分解するようにした冷蔵庫が知られている（例えば特許文献１参照）。
【先行技術文献】
【特許文献】
【０００３】
【特許文献１】特許第４４２１５５２号公報
【発明の概要】
【発明が解決しようとする課題】
【０００４】
上記従来技術はあくまでも冷蔵庫に適用されるものであり、定温収納庫の場合には、扉を閉塞した状態で庫内に収納した収納物を定温（低温に限らず常温も含む）に保ちながら運搬される。収納物には例えば運搬中に２０℃程度の定温で管理される弁当や惣菜、４℃程度の定温で管理される野菜や果実等、冷蔵できない商品がある。従って、定温収納庫は蓄冷された蓄冷材の冷気により庫内を定温に保持するための蓄冷装置を備え、庫内に収納物を収納し運搬する前の準備作業時間において蓄冷材への蓄冷が行われる。このため、蓄冷中に庫内の除菌消臭処理のためにオゾンを送風機でむやみに拡散させると、送風空気により蓄冷中の蓄冷材の冷気が奪われ、蓄冷時間が長くなり、ひいては上記準備作業時間が長くなるおそれがある。
【０００５】
そこで、オゾン発生時間と蓄冷時間とをずらして別タイミングで行うことも考えられるが、これでは上記準備作業時間を効果的に短縮することはできない。
また、上記従来技術の場合には、庫内にオゾン分解触媒を要するためにそのコストが嵩むと共に、庫内におけるオゾン分解触媒の設置スペースを確保する必要があるため、庫内における収容物の収納容積が減少してしまうおそれもある。
【０００６】
このように、上記従来技術を定温収納庫にそのまま適用すると、定温収納庫の準備作業時間が長くなり、また、オゾン分解触媒を要する分だけそのコストを要すると共に、庫内の収納容積が減少することにより、定温収納庫の運用コストが著しく増大するおそれがある。
本発明は上述の事情に基づいてなされたもので、その目的とするところは、庫内に収納物を収納し運搬する前の準備作業時間を短縮することにより、運用コストを大幅に削減することができる定温収納庫を提供することにある。
【課題を解決するための手段】
【０００７】
上記の目的を達成するため、本発明の定温収納庫は、扉を閉塞した状態で庫内に収納した収納物を定温に保ちながら運搬可能とする定温収納庫であって、庫内にオゾンを発生して庫内を除菌脱臭するオゾン発生装置と、蓄冷された蓄冷材の冷気により庫内を定温に保持する蓄冷装置と、定温収納庫の準備作業において蓄冷装置による蓄冷材への蓄冷開始と同時にオゾン発生装置によるオゾン発生を開始させる制御装置とを備える（請求項１）。
【０００８】
好ましくは、オゾン発生装置によるオゾン発生時間は、蓄冷装置による蓄冷材の蓄冷時間よりも短い（請求項２）。
好ましくは、庫内の空気を攪拌するファンを更に備え、制御装置は、オゾン発生中にのみファンを間歇的に作動する（請求項３）。
好ましくは、オゾン発生時間の経過後の蓄冷時間は庫内におけるオゾンの曝露時間に設定され、オゾン発生時間及びオゾン曝露時間は、庫内容積、蓄冷時間、及びファンの作動条件に基づいて設定される（請求項４）。
【０００９】
好ましくは、ファンの作動条件は、庫内容積、蓄冷時間、及びオゾン発生時間に基づいて設定される（請求項５）。
好ましくは、制御装置は、蓄冷時間の経過後に扉を開放可能とする（請求項６）。
好ましくは、外部からの充電により蓄電され、オゾン発生装置、蓄冷装置、制御装置、及びファンに給電する電源装置を更に備え、制御装置は、蓄冷装置による蓄冷材への蓄冷開始と同時に電源装置への充電を開始する（請求項７）。
【発明の効果】
【００１０】
本発明によれば、定温収納庫の準備作業において蓄冷装置による蓄冷材への蓄冷開始と同時にオゾン発生装置によるオゾン発生を開始することにより、蓄冷材への蓄冷中に庫内の除菌消臭処理を行うことができる。従って、蓄冷材への蓄冷と庫内の除菌消臭処理とを別タイミングで行う場合に比して、定温収納庫に収納物を収納し運搬する前の準備作業時間を短縮することができるため、定温収納庫の運用コストを大幅に削減することができる（請求項１）。
【００１１】
また、本発明によれば、オゾン発生装置によるオゾン発生時間が蓄冷装置による蓄冷材の蓄冷時間よりも短いことにより、オゾン発生装置停止後に扉を閉塞したままオゾンの曝露時間を確保することができる。これにより、オゾン分解触媒を設けなくとも、オゾン発生時間及びオゾン曝露時間を予め設定することで、蓄冷材の蓄冷完了までに庫内の除菌消臭処理を効率的に行うことができる。従って、オゾン分解触媒が不要となると共に、庫内におけるオゾン分解触媒の設置スペースを削減することができ、庫内の有効収納容積（庫内容積）を増大させることができるため、定温収納庫の運用コストを更に削減することができる（請求項２）。
【００１２】
また、本発明によれば、オゾン発生中にのみファンを間歇的に作動することにより、オゾン発生中にオゾンを庫内に効率的に拡散させることができるため、オゾン発生時間、ひいてはオゾン曝露時間を短縮することができる。従って、ファンが無い場合に比して、定温収納庫の準備作業時間を短縮することができ、定温収納庫の運用コストを更に削減することができる（請求項３）。
【００１３】
また、本発明によれば、オゾン発生時間及びオゾン曝露時間が庫内容積、蓄冷時間、及びファンの作動条件に基づいて設定されることにより、蓄冷時間の経過と同時に、庫内のオゾン濃度を安全範囲内に低下し、且つ庫内を十分に除菌脱臭処理可能な積算オゾン曝露量を確保することができる。従って、作業者の安全性と定温収納庫の除菌脱臭能力との両方を容易に確保することができるため、定温収納庫の運用コストを更に削減することができる（請求項４）。
【００１４】
また、本発明によれば、ファンの作動条件が庫内容積、蓄冷時間、及びオゾン発生時間に基づいて設定されることにより、オゾン発生中にオゾンを庫内に効率的に拡散させるのみならず、庫内空気の攪拌によって蓄冷中の蓄冷材の冷気が奪われるのを抑制することができる。すなわち、オゾン発生中に、拡散効果を得つつ蓄冷時間に影響を与えない程度の作動時間、作動回数、及び作動間隔でファンを間歇的に作動させることにより、定温収納庫の準備作業時間を全体として短縮することが可能であり、これにより定温収納庫の運用コストを更に削減することができる（請求項５）。
【００１５】
また、本発明によれば、制御装置が蓄冷時間の経過後に扉を開放可能とすることにより、オゾン濃度が扉の開放可能な安全範囲にまで低下するように蓄冷時間、ひいてはオゾン発生時間及びオゾン曝露時間を予め設定することで、作業者の安全性を容易に確保することができるため、定温収納庫の運用コストを更に削減することができる（請求項６）。
また、本発明によれば、蓄冷装置による蓄冷材への蓄冷開始と同時に電源装置への充電を開始することにより、蓄冷材への蓄冷中に電源装置への充電を行うことができる。従って、蓄冷材への蓄冷と電源装置の充電とを別タイミングで行う場合に比して、定温収納庫の準備作業時間を短縮することができるため、定温収納庫の運用コストを更に削減することができる（請求項７）。
【図面の簡単な説明】
【００１６】
【図１】本発明の一実施形態に係る定温収納庫の扉を閉塞した状態を示す正面図である。
【図２】図１の定温収納庫の扉を開放した状態を示す正面図である。
【図３】図１の定温収納庫内に収納物を収納し運搬する前の準備作業時間をタイムテーブルで示した図である。
【図４】図１の定温収納庫の準備作業中における庫内のオゾン濃度を時系列的に示した図である。
【図５】図１のファンの作動条件を変えたときの各作動条件における庫内のオゾン濃度を時系列的に示した図である。
【図６】図１のファンの作動条件を変えたときの各作動条件における庫内温度を時系列的に示した図である。
【発明を実施するための形態】
【００１７】
以下に本発明の一実施形態に係る定温収納庫について図面を参照して説明する。
図１は当該定温収納庫１の扉２を開放した状態を示す正面図であり、図２は定温収納庫１の扉２を開放した状態を示す正面図である。
定温収納庫１は、例えば１立方メートル程度の収納容積を有する直方体構造をなし、当該構造の下面の四隅にはキャスター４がそれぞれ取り付けられており、トラック等のコンテナ内に容易に搭載可能に構成されている。両開き型の扉２に設けられたレバー６を回動させて扉２を閉塞することにより、定温収納庫１の庫内１ａに収納した収納物（図示しない）を定温（低温に限らず常温も含む）に保ちながら遠方へ運搬することができる。
【００１８】
定温収納庫１の庫内１ａの上壁１ｂ又は側壁１ｃには、庫内１ａの空気を攪拌するファン８が取り付けられ、ファン８に隣接する位置にはオゾン発生装置１０が取り付けられている。
オゾン発生装置１０は、放電によりオゾンを発生し、ファン８からの送風を受けることで発生したオゾンを庫内１ａに拡散し、庫内１ａを除菌脱臭処理する。
【００１９】
定温収納庫１の庫内１ａの下壁１ｄには蓄冷装置１２が埋設されている。蓄冷装置１２は自身に内蔵された蓄冷材１２ａを後述する電源装置１４からの給電によって冷却し、蓄冷材１２ａへの蓄冷を行い、定温収納庫１の運搬中には蓄冷された蓄冷材１２ａの冷気により庫内１ａが定温に保持される。
定温収納庫１の庫内１ａの上部には、定温収納庫１を総合的に制御する制御装置１６が搭載され、制御装置１６に隣接する位置には電源装置１４が搭載されている。
【００２０】
図３は、庫内１ａに収納物を収納し運搬する前の準備作業をタイムテーブルで示した図である。以下、当該タイムテーブルに沿って制御装置１２が実行する定温収納庫１の準備作業に係る制御について説明する。
先ず、定温収納庫１の準備作業が開始されると、扉２が閉塞された状態で、蓄冷装置１２による蓄冷材１２ａへの蓄冷が開始される。蓄冷開始とほぼ同時に、オゾン発生装置１０によるオゾン発生開始、電源装置１４への外部からの充電開始、及びファン８の作動開始も併せて行われる。なお、高濃度のオゾンに曝されると人体に悪影響を生じることから、制御装置１６からの指令により当該準備作業の終了まではレバー６をロックすることで扉２が開放できないようにするのが好ましい。
【００２１】
制御装置１６では、オゾン発生装置８によるオゾン発生時間は、蓄冷装置１２による蓄冷材１２ａの蓄冷時間よりも短くなるように予め設定されている。具体的には、蓄冷時間は扉２の閉塞から開放までの全準備作業時間に相当する４時間と設定され、オゾン発生時間は２５分に設定され、オゾン発生停止後の準備作業終了までの残りの３時間３５分はオゾン曝露時間として確保されている。換言すると、オゾン発生装置１０は準備作業開始から２５分だけ作動され、その後の準備作業終了までの３時間３５分は停止される。
【００２２】
オゾン曝露時間を設定することにより、オゾン発生装置１０から発生されてファン８により拡散されたオゾンが庫内１ａの隅々まで行き渡った状態で滞留され、限られた量のオゾンで効果的に庫内１ａの除菌消臭を図ることができる。
また、制御装置１６では、ファン８がオゾン発生中にのみ所定の作動時間、作動回数、及び作動間隔で間歇的に作動するように予め設定されている。具体的には、ファン８は準備作業開始の信号によってオゾン発生開始と同時に１０秒間作動し、その後の９分５０秒間は停止し、次の瞬間再び１０秒間作動し、その後の９分５０秒間は停止し、次の瞬間再び１０秒間作動する。すなわち、ファン８はオゾン発生中の２５分間に１０分間で１０秒だけ合計３回作動するように制御される。
【００２３】
また、制御装置１６では、電源装置１４への充電時間が蓄冷時間と同様に扉２の閉塞から開放までの全準備作業時間に相当する４時間と予め設定される。
電源装置１４は、図示しない蓄電池を有し、当該蓄電池は外部からの充電により蓄電される。蓄電された電気はオゾン発生装置１０、蓄冷装置１２、制御装置１６、及びファン８に供給され、給電された各装置１０，１２、１６及びファン８は制御装置１６からの指令により、上述した制御を行うべく適宜作動される。
【００２４】
こうして蓄冷時間が経過し、定温収納庫１の準備作業が終了すると、制御装置１６はレバー６のロックを解除することで扉２を開放可能とする。
図４は定温収納庫１の準備作業中における庫内１ａのオゾン濃度を時系列的に示している。図４の場合には庫内温度は２０℃に設定され、上述したようにオゾン発生時間は２５分、オゾン曝露時間は３時間３５分に設定される。このようなオゾン発生時間及びオゾン曝露時間は、庫内容積（約１立方メートル）、蓄冷時間（４時間）、及びファン８の作動条件に基づいて制御装置１６で予め設定されている。
【００２５】
具体的には、上記条件での定温収納庫１内のオゾンの半減期は約３時間であり、また、図４の斜線で示した面積が庫内１ａの積算オゾン曝露量に相当することを考慮し、制御装置１６では、準備作業開始から蓄冷時間（４時間）が経過したときに、作業者が安全に扉２を開放することができる１ｐｐｍ以下まで庫内１ａのオゾン濃度が低下し、且つ、庫内１ａを十分に除菌脱臭処理可能な積算オゾン曝露量を確保するべく、上述した庫内容積、蓄冷時間、及びファン８の作動条件が設定される。
【００２６】
また、ファン８の作動条件は、上述したようにファン８の作動時間（１０秒）、作動回数（３回）、及び作動間隔（９分５０秒）のパラメータで設定されるが、こうしたパラメータは上述した庫内容積、蓄冷時間、及びオゾン発生時間に基づいて制御装置１６で予め設定されている。
図５はファン８の作動条件を変えたときの各作動条件における庫内１ａのオゾン濃度を時系列的に示す。当該図５では、破線ａには常時作動、破線ｂには１０秒作動後に２０秒停止、破線ｃには１０秒作動後に４分５０秒停止、破線ｄには１０秒作動後に２分２０秒停止、実線Ａには本実施形態の１０秒作動後に９分５０秒停止、のファン８の作動条件がそれぞれ示されている。
【００２７】
図５から、ファン８の作動時間が長い、又はファン８の作動間隔が短いほうが時間経過に伴い庫内のオゾン濃度は高くなることがわかる。ファン８の作動時間が長い、又はファン８の作動間隔が短いほうが庫内１ａにおいてオゾンが拡散され易いからである。
一方、本実施形態の場合には、ファン８はオゾン発生中の２５分間しか作動させないため、オゾン発生中のファン８の作動回数は、破線ｂの場合は５０回、破線ｃの場合は５回、実線Ａの場合は３回、破線ｄの場合は１０回となる。
【００２８】
ここで、ファン８の作動回数が１０回となる破線ｄの場合には、ファン８の作動間隔が２分２０秒であるが、もっとファン８の作動間隔が長く、作動回数が少ない破線ｃ及び実線Ａの場合よりもオゾン濃度が低下している。これは、ファン８の作動時間を一定としたとき、ファン８の作動間隔が短く且つファン８の作動回数が多い場合には、ファン８の起動自体が外乱となって庫内１ａの空気の攪拌が効率的に行われない、或いは、オゾン発生中におけるオゾン曝露時間が好適に確保されない等の理由により、庫内１ａにおけるオゾンの拡散が阻害されることが原因と考えられる。
【００２９】
また、ファン８の作動間隔が２０秒となる破線ｂよりも長い作動間隔とした破線ｃ，ｄ、及び実線Ａの場合でも、破線ｂの場合と比べてさほどオゾン濃度は低下しないことが判明した。
図６はファン８の作動条件を変えたときの各作動条件における庫内１ａの温度を時系列的に示す。当該図６では、図５の場合と同様に、破線ａは常時作動、破線ｂは１０秒作動後に２０秒停止、破線ｃは１０秒作動後に４分５０秒停止、破線ｄは１０秒作動後に２分２０秒停止、実線Ａは本実施形態の１０秒作動後に９分５０秒停止の作動条件の場合が示されている。
【００３０】
図６から、ファン８の作動時間が長い、又はファン８の作動間隔が短いほうが時間経過に伴い庫内温度は低くなることがわかる。ファン８の作動時間が長い、又はファン８の作動間隔が短いほうが庫内１ａにおいてより多くの空気が攪拌され、攪拌された空気が蓄冷中の蓄冷材１２ａから冷気を効率的に奪うからである。蓄冷中の蓄冷材１２ａから冷気が奪われると、蓄冷時間が経過しても蓄冷材１２ａの蓄冷が完了せず、蓄冷時間が長くなる等の弊害が生じることが実験により判明している。
【００３１】
ここで、ファン８の作動回数が１０回となる破線ｄの場合には、ファン８の作動間隔が２分２０秒であるが、もっとファン８の作動間隔が長く、作動回数が少ない実線Ａの場合とほぼ同じ庫内温度となっている。これは、ファン８の作動時間を一定としたとき、ファン８の作動間隔が短く且つファンの作動回数が多い場合には、ファン８の起動自体が外乱となって庫内空気の攪拌が効率的に行われない等の理由により、庫内空気による蓄冷材１２ａからの吸熱が抑制されることが原因と考えられる。
【００３２】
これら図５及び図６の実験結果に鑑み、ファン８の作動制御は、上述した庫内容積、蓄冷時間、及びオゾン発生時間に基づいて、オゾン発生中にオゾンを可能な限り拡散してオゾン濃度を高めると共に、庫内温度の低下を極力抑制して蓄冷時間、ひいては蓄冷材１２ａの蓄冷能力に影響を与えない範囲で行うことが要求され、本実施形態の場合には結果として、作動時間（１０秒）、作動回数（３回）、及び作動間隔（９分５０秒）となる実線Ａのファン８の作動条件が選択された。
【００３３】
以上のように本実施形態の定温収納庫１は、定温収納庫１の準備作業において蓄冷装置１２による蓄冷材１２ａへの蓄冷開始と同時にオゾン発生装置１０によるオゾン発生を開始することにより、蓄冷材１２ａへの蓄冷中に庫内１ａの除菌消臭処理を行うことができる。従って、蓄冷材１２ａへの蓄冷と庫内１ａの除菌消臭処理とを別タイミングで行う場合に比して、定温収納庫１に収納物を収納し運搬する前の準備作業時間を短縮することができるため、定温収納庫１の運用コストを大幅に削減することができる。
【００３４】
また、オゾン発生装置１０によるオゾン発生時間が蓄冷装置１２による蓄冷材１２ａの蓄冷時間よりも短いことにより、オゾン発生装置１０停止後に扉２を閉塞したままオゾンの曝露時間を確保することができる。これにより、オゾン分解触媒を設けなくとも、オゾン発生時間及びオゾン曝露時間を予め設定することで、蓄冷材１２ａの蓄冷完了までに庫内１ａの除菌消臭処理を効率的に行うことができる。従って、オゾン分解触媒が不要となると共に、庫内１ａにおけるオゾン分解触媒の設置スペースを削減することができ、庫内１ａの有効収納容積（庫内容積）を増大させることができるため、定温収納庫１の運用コストを更に削減することができる。
【００３５】
また、オゾン発生中にのみファン８を間歇的に作動することにより、オゾン発生中にオゾンを庫内１ａに効率的に拡散させることができるため、オゾン発生時間、ひいてはオゾン曝露時間を短縮することができる。従って、ファン８が無い場合に比して、定温収納庫１の準備作業時間を短縮することができ、定温収納庫１の運用コストを更に削減することができる。
【００３６】
また、オゾン発生時間及びオゾン曝露時間が庫内容積、蓄冷時間、及びファン８の作動条件に基づいて設定されることにより、蓄冷時間の経過と同時に、庫内１ａのオゾン濃度を安全範囲内に低下し、且つ庫内１ａを十分に除菌脱臭処理可能な積算オゾン曝露量を確保することができる。従って、作業者の安全性と定温収納庫１の除菌脱臭能力との両方を容易に確保することができるため、定温収納庫１の運用コストを更に削減することができる。
【００３７】
また、ファン８の作動条件が庫内容積、蓄冷時間、及びオゾン発生時間に基づいて設定されることにより、オゾン発生中にオゾンを庫内１ａに効率的に拡散させるのみならず、庫内空気の攪拌によって蓄冷中の蓄冷材１２ａの冷気が奪われるのを抑制することができる。すなわち、オゾン発生中に、オゾン拡散効果を得つつ蓄冷時間に影響を与えない程度の作動時間、作動回数、及び作動間隔でファン８を間歇的に作動させることにより、定温収納庫１の準備作業時間を全体として短縮することが可能であり、これにより定温収納庫１の運用コストを更に削減することができる。
【００３８】
また、制御装置１６が蓄冷時間の経過後に扉２を開放可能とすることにより、オゾン濃度が扉２の開放可能な安全範囲にまで低下するように蓄冷時間、ひいてはオゾン発生時間及びオゾン曝露時間を予め設定することで、作業者の安全性を容易に確保することができるため、定温収納庫１の運用コストを更に削減することができる。
また、蓄冷装置１２による蓄冷材１２ａへの蓄冷開始と同時に電源装置１４への充電を開始することにより、蓄冷材１２ａへの蓄冷中に電源装置１４への充電を行うことができる。従って、蓄冷材１２ａへの蓄冷と電源装置１４の充電とを別タイミングで行う場合に比して、定温収納庫１の準備作業時間を短縮することができるため、定温収納庫１の運用コストを更に削減することができる。
【００３９】
本発明は、上述の実施形態に制約されるものではなく種々の変形が可能である。
例えば、上記実施形態では、庫内容積（約１立方メートル）、蓄冷時間（４時間）、及びファン８の作動条件（作動時間（１０秒）、作動回数（３回）、及び作動間隔（９分５０秒））とした定温収納庫１について説明したが、これに限らず、本発明は上記実施形態と庫内容積、蓄冷能力、及び送風能力が異なる定温収納庫にも適用可能であることは勿論である。
【符号の説明】
【００４０】
１    定温収納庫
１ａ    庫内
２    扉
８    ファン
１０    オゾン発生装置
１２    蓄冷装置
１２ａ    蓄冷材
１４    電源装置
１６    制御装置
【図１】
2013170757.tif 000003
【図２】
2013170757.tif 000004
【図３】
2013170757.tif 000005
【図４】
2013170757.tif 000006
【図５】
2013170757.tif 000007
【図６】
2013170757.tif 000008